(57)【要約】      （修正有）【課題】巻上ロープや釣合ロープなどの保守作業時に、カバー部材や固定ねじを取外す必要がなく、従って作業時間の短縮が可能で、取外した部材を落下させる危惧もないエレベータの釣合おもりを提供する。【解決手段】乗りかごに対して釣り合いを取るためのおもりと、このおもりを保持するフレーム部材に設けられたロープの張力調節部と、おもり及び張力調節部の外側を覆うように設けられ張力調節部に対応する部分に点検窓３０ａを有するカバー部材３０と、このカバー部材に可動に保持され点検窓を開閉する可動扉３４を備えている。【選択図】図１
2006151603.tif 000002
【特許請求の範囲】
【請求項１】
乗りかごに対して釣り合いを取るためのおもりと、このおもりを保持するフレーム部材に設けられたロープの張力調節部と、上記おもり及び張力調節部の外側を覆うように設けられ上記張力調節部に対応する部分に点検窓を有するカバー部材と、このカバー部材に対して可動に保持され上記点検窓を開閉する可動扉を備えてなることを特徴とするエレベータの釣合おもり。
【請求項２】
上記可動扉は、上記カバー部材の点検窓の内側を該カバー部材の面方向にスライドすることにより該点検窓を開閉するようにしてなることを特徴とする請求項１記載のエレベータの釣合おもり。
【請求項３】
上記可動扉は、上記カバー部材の点検窓の近傍に突設された支軸に軸支され、該支軸の周りに回動することにより該点検窓を開閉するようにしてなることを特徴とする請求項１記載のエレベータの釣合おもり。
【請求項４】
上記可動扉は、上記カバー部材の点検窓の縁部に設けられたヒンジに取付けられ、該点検窓を開閉するようにしてなることを特徴とする請求項１記載のエレベータの釣合おもり。
【発明の詳細な説明】
【技術分野】
【０００１】
この発明は、例えば展望用エレベータ等のシースルーエレベータなどに好ましく用いることができるエレベータの釣合おもりに関する。
【背景技術】
【０００２】
展望用エレベータのように、釣合おもりが乗りかご内又は昇降路外より見えるエレベータは、幾層も重ねられたおもり及び巻上ロープや釣合ロープなどロープの保守作業部が美観を損なっている為、見栄え向上目的で釣合おもりにカバー部材を取付けることが多い。また、風音・風圧対策として釣合おもりにカバー部材を取付けることも有り得る。巻上ロープ及び釣合ロープなどのロープは端部にねじが螺刻されたシャックルロッドを介して釣合おもりと連結されている。ロープは経年的な伸びにより張力が緩む為、シャックルロッドのねじ側のナットにより所定の張力を与えるように定期的に調整する必要がある。また、複数のロープの間で長さに誤差があると各ロープの張力にアンバランスが生じる為、均一な張力となるようにナットで調整する必要がある。従来技術としてはカバー部材のロープヒッチ部分に四角穴を設けこれを覆うロープヒッチプレートを取付けたものがある（例えば特許文献１参照。）。
【０００３】
【特許文献１】特開平８−２４５１２７号公報（第１頁、図１）
【発明の開示】
【発明が解決しようとする課題】
【０００４】
従来のカバー部材は、釣合おもり全体を覆う板材か、あるいは該板材のロープヒッチ部分にあけた四角穴を覆う小さなプレートをねじで固定した構造であり、巻上ロープ及び釣合ロープの保守作業時には、毎回カバー部材ないしは点検口を覆うプレートと、これを取付ける多数のねじを全て取外す必要があり、作業に手間を要していた。また、取外したカバー部材やプレート、固定ねじを落下させてしまう恐れもあった。
【０００５】
この発明は上記のような従来技術の課題を解消するためになされたもので、巻上ロープや釣合ロープなどの保守作業時に、カバー部材や多数の固定ねじを取外す手間を省力化し、従って作業時間の短縮が可能で、取外した部材を落下させる危惧を軽減したエレベータの釣合おもりを得ることを目的としている。
【課題を解決するための手段】
【０００６】
この発明によるエレベータの釣合おもりは、乗りかごに対して釣り合いを取るためのおもりと、このおもりを保持するフレーム部材に設けられたロープの張力調節部と、上記おもり及び張力調節部の外側を覆うように設けられ上記張力調節部に対応する部分に点検窓を有するカバー部材と、このカバー部材に対して可動に保持され上記点検窓を開閉する可動扉を備えてなるものである。
【発明の効果】
【０００７】
この発明においては、点検窓を有するカバー部材に可動に保持されて該点検窓を開閉する可動扉を設けたことにより、保守点検時には可動扉を開くだけでよく、カバー部材やカバープレートを取外す必要がなくなるため、保守時の省力ができ、またカバー部材や固定ねじなどの落下の恐れをなくし、あるいは軽減したエレベータの釣合おもりを得ることができる。
【発明を実施するための最良の形態】
【０００８】
実施の形態１．
図１〜図５は、この発明の実施の形態１によるエレベータの釣合おもりを説明するもので、図１は可動扉を閉じた状態を示す正面図、図２は可動扉を開けた状態を示す正面図、図３は図２のＩＩＩ−ＩＩＩ線における矢視断面図、図４はカバー部材を全て外した状態を参考のために示す正面図、図５は展望用エレベータの一例を模式的に示す構成図である。図に示すように、昇降路１内で乗りかご２と釣合おもり３がロープとしての巻上ロープ４により吊られ、場合により乗りかご２と釣合おもり３がロープとしての釣合ロープ５で繋がれている。昇降路１の例えば図の左側の壁１Ａはガラス板やプラスチック板など透明材料を用いて形成されており、外側から乗りかご２や釣合おもり３などが見えるように構成されている。なお、エレベータの乗場は図示を省略している。
【０００９】
釣合おもり３は、板状のカバー部材３０を取付けない状態では図４に示すように、フレーム部材３１に保持された乗りかご２と釣り合いをとるための複数のおもり３２、複数の巻上ロープ４の端部にそれぞれ固定された複数のシャックルロッド６Ａ、このシャックルロッド６Ａ端部に螺刻されたねじに螺合する巻上ロープ４の張力を調整するための複数のナット７Ａ、釣合ロープ５の端部に固定されたシャックルロッド６Ｂ、このシャックルロッド６Ｂ端部に螺刻されたねじに螺合する釣合ロープ５の張力を調整するための複数のナット７Ｂなどがむき出しとなっている。なお、３３Ａ、３３Ｂは巻上ロープ４、釣合ロープ５などのロープの張力調節部である。また、９は釣合おもり３を図示省略しているおもり用ガイドレールに沿わせるための案内部材である。
【００１０】
見栄えを良くするためのカバー部材３０は、この例では３枚用いられ、張力調節部３３Ａ、３３Ｂ部分を覆うカバー部材３０には、該張力調節部３３Ａ、３３Ｂに対応する位置に長方形の穴からなる点検窓３０ａが設けられており、何れもフレーム部材３１に固定ねじ３５を用いて固定されている。点検窓３０ａの背面部には図３に示すように断面鍵形の一対のガイド部材３０ｂが固定され、これら一対のガイド部材３０ｂに沿って上下方向にスライドし得るように可動に可動扉３４が設けられている。なお、３４ａは可動扉３４の下部に固着された取っ手、３４ｂは可動扉３４を上方にスライドさせて点検窓３０ａを開いた時に開状態を保持するためのピンからなる係止手段であり、点検窓３０ａを開いた時に、カバー部材３０の点検窓３０ａの上部近傍に空けられた固定穴３０ｃから、可動扉３４とガイド部材３０ｂを貫通するように設けられた図示を省略している貫通穴に挿通して可動扉３４を固定できるように構成されている。
【００１１】
次に上記のように構成された実施の形態１の動作について説明する。先ず、通常のエレベータの運行時は図１に示すように、釣合おもり３のカバー部材３０に設けられた可動扉３４は下端部まで下ろして点検窓３０ａが閉じられており、外側から中身が見えないので美観を損なうことはない。次に、保守作業時に巻上ロープ４、釣合ロープ５などの張力などを点検するときは、図２に示すように可動扉３４を取っ手３４ａにより上にカバー部材３０の面方向に沿ってスライドさせて点検窓３０ａを開き、係止手段３４ｂを固定穴３０ｃから図示省略している貫通穴に挿通させて可動扉３４を全開位置で固定することにより、点検作業を行うことができる。
【００１２】
上記のように実施の形態１によれば、カバー部材３０の点検窓３０ａにスライド開閉機構による可動扉３４を設けたので、保守作業時に固定ねじを外したり、カバーを外すといった手間を無くすことができ、従って外した部材を落下させたり紛失させる恐れも回避できる。また、非作業時は可動扉３４を閉じて見栄え向上および風音・風圧対策等の目的を果たすことができる。可動扉３４に設けた取っ手３４ａは、スライドを容易に行えるようにすると共に、点検窓３０ａの内側部から外側に突設されているので、開閉時に点検窓３０ａの上端縁部または下端縁部に衝突することにより可動扉３４の開き過ぎ、あるいは落下による外れ防止機能も有する。
【００１３】
なお、上記係止手段３４ｂは必ずしもピンに限定されるものではなく、例えばガイド部材３０ｂに設けた貫通穴をねじ穴で形成し、係止手段３４ｂとしてねじ（ボルト）を用いて、カバー部材３０の固定穴３０ｃから、該ねじを挿通してガイド部材３０ｂにねじ止めするようにしても良く、その場合には開状態にした可動扉３４の落下による挟まれ事故を防止する効果が高められる。さらに係止手段３４ｂはピンやねじ（ボルト）などの棒状のもの以外の手段で構成することも差し支えない。
【００１４】
実施の形態２．
図６はこの発明の実施の形態２によるエレベータの釣合おもりを示す正面図である。図に示すように、この実施の形態２では、可動扉３４は、その一角部（この例では図の左上部）をカバー部材３０における点検窓３０ａの図の左上部に突設された支軸３６に軸支され、該支軸３６のまわりに矢印Ａのように回動することにより点検窓３０ａを開閉するように構成されており、図の上部巻上ロープ４側の可動扉３４は点検窓３０ａを閉じた状態を示している。そして、可動扉３４の１辺、上記軸支位置とは略対角位置にはＵ字状の係止凹部３４ｃが設けられており、可動扉３４を閉じたときに、該係止凹部３４ｃによってカバー部材３０の点検窓３０ａの右下部に突設されたストッパを兼ねる係止ボルト３７に係止され、通常時にはカバー部材３０と可動扉３４を係止ボルト３７で共締めしておくことで閉状態が保持され振動・風圧による開きを防止している。
【００１５】
また、図の下部釣合ロープ５側の可動扉３４は、係止ボルト３７を緩め、可動扉３４を矢印Ａのように回動して点検窓３０ａを開けた状態を示し、適宜の係止手段（図示省略）により開状態を保持している。その他の構成は上記実施の形態１と同様であるので説明を省略する。なお、各図を通じて同一符号は同一もしくは相当部分を示すものとする。
【００１６】
上記のように構成された実施の形態２においては、係止ボルト３７を緩めるだけで、可動扉３４を支軸３６のまわりに回動させることができ、点検窓３０ａを開状態にして保守作業領域を確保することが可能となる。このため、保守作業時に固定ねじを外したり、カバーを外すといった手間を無くすことができ、従って外した部材を落下させたり紛失させる恐れも回避できる。
【００１７】
実施の形態３．
図７及び図８は、この発明の実施の形態３によるエレベータの釣合おもりを説明するもので、図７は釣合おもりを示す正面図、図８は可動扉の開閉を検知する検知スイッチの動作を説明する図であり、図８（ａ）は閉状態、（ｂ）は開状態を示す断面図である。図に示すように、この実施の形態３では、可動扉３４をカバー部材３０に対して蝶番３８で回動可能に取付けることで開閉を可能としている。また、可動扉３４には取っ手３４ａを設け開閉を容易に行えるようにし、振動・風圧による開き防止のため、通常運転時にはカバー部材３０と可動扉３４を固定ねじなどの係止手段３９で固定できるようにしている。
【００１８】
また、上記のような開き戸方式を用いた場合は、可動扉３４を万一開いた状態でエレベータを稼動させると、可動扉３４が乗りかご２等と接触し、破損させてしまう可能性があるため、この例では、点検窓３０ａ近傍に閉め忘れ防止用の検知スイッチ８を設け、可動扉３４が開いた状態では図８（ｂ）に示すように検知スイッチ７のロッド８１が突出し、可動扉３４が閉じた時には可動扉３４が該検知スイッチ８のロッド８１を押すことにより可動扉３４の開閉を検知し、開状態の場合はエレベータが稼動できない機能が付加されている（詳細図示省略）。その他の構成は上記実施の形態１と同様であるので説明を省略する。
【００１９】
上記のように構成された実施の形態３では、保守点検時には２本の係止手段３９を外して可動扉３４を手前に開くだけでよく、カバー部材３０や可動扉３４自体を多数のねじを外して取外す必要がなくなるため、保守時の作業が簡単で省力ができる。またカバー部材や固定ねじなどの落下の恐れも減少したエレベータの釣合おもりを得ることができる。なお、係止手段３９は固定ねじに限定されるものではなく、例えば重力、リンク機構、バネアクションなどを利用した掛け金などを用いて係止するものでも同様の効果が期待できる。
【００２０】
なお、上記各実施の形態の説明では、釣合おもり３の下部に釣合ロープ５を備えた例について説明したが、釣合ロープ５は、昇降行程が長い場合に巻上ロープ４も長くなって重量も大きくなるため、巻上ロープ４と同等の重量の釣合ロープ５を釣合おもり３と乗りかご２下部に繋げることによって、巻上ロープ４の重量バランスをとるものであるので、昇降行程が短いエレベータなどでは釣合ロープ５を設ける必要がなく、その場合でも同様の効果が得られることは言うまでもない。
【図面の簡単な説明】
【００２１】
【図１】この発明の実施の形態１によるエレベータの釣合おもりの可動扉を閉じた状態を示す正面図。
【図２】図１に示す釣合おもりの可動扉を開けた状態を示す正面図。
【図３】図２のＩＩＩ−ＩＩＩ線における矢視断面図。
【図４】図１に示すカバー部材を全て外した状態を示す正面図。
【図５】展望用エレベータの一例を模式的に示す構成図。
【図６】この発明の実施の形態２によるエレベータの釣合おもりを示す正面図。
【図７】この発明の実施の形態３によるエレベータの釣合おもりを示す正面図。
【図８】図７に示す可動扉の開閉を検知する検知スイッチの動作を説明する図であり、図８（ａ）は閉状態、（ｂ）は開状態を示す断面図。
【符号の説明】
【００２２】
１  昇降路、  ２  乗りかご、  ３  釣合おもり、  ４  巻上ロープ（ロープ）、  ５  釣合ロープ（ロープ）、  ３０  カバー部材、  ３０ａ  点検窓、  ３０ｂ  ガイド部材、  ３０ｃ  固定穴、  ３１  フレーム部材、  ３２  おもり、  ３３Ａ、３３Ｂ  張力調節部、  ３４  可動扉、  ３４ａ  取っ手、  ３４ｂ  係止手段、  ３４ｃ  係止凹部、  ３５  固定ねじ、  ３６  支軸、  ３７  係止ボルト、  ３８  蝶番、  ３９  係止手段、  ６Ａ、６Ｂ  シャックルロッド、  ７Ａ、７Ｂ  ナット、  ８  検知スイッチ、  ８１  ロッド、  ９  案内部材。
【図１】
2006151603.tif 000003
【図２】
2006151603.tif 000004
【図３】
2006151603.tif 000005
【図４】
2006151603.tif 000006
【図５】
2006151603.tif 000007
【図６】
2006151603.tif 000008
【図７】
2006151603.tif 000009
【図８】
2006151603.tif 000010